(57)【特許請求の範囲】
【請求項１】
光伝送要素間で光を光学的に結合する装置であって、
第１の光伝送要素と、
第２の光伝送要素と、
を備え、
前記第１の光伝送要素は、長手方向の経路に沿って延びる平面光導波路と、回折格子結合器と、透明基板とを含み、前記透明基板は前記平面光導波路および前記回折格子結合器の片側に配設され、
前記第２の光伝送要素は、縦軸に沿って延びる光ファイバを含み、該光ファイバは、コアおよびクラッドを含むと共に角度のついた先端部を有するマルチモード光ファイバであり、前記光ファイバの前記縦軸は前記平面光導波路の前記長手方向の経路に略平行であり、
前記回折格子結合器は、前記マルチモード光ファイバによって支持される高次モードのみを優先的に励起するように構成されていることを特徴とする装置。
【請求項２】
前記透明基板がガラスを含み、前記平面光導波路がシリコンを含むことを特徴とする請求項１記載の装置。
【請求項３】
前記透明基板が、前記平面光導波路と前記光ファイバとの間に配設されることを特徴とする請求項１記載の装置。
【請求項４】
前記透明基板が、少なくとも１００μｍの厚さを有することを特徴とする請求項３記載の装置。
【請求項５】
光伝送要素間で光を光学的に結合する方法であって、該方法が
第１の光伝送要素と第２の光伝送要素との間で光を伝送する工程を有してなり、
前記第１の光伝送要素は、長手方向の経路に沿って延びる平面光導波路と、回折格子結合器と、透明基板とを含み、前記透明基板は前記平面光導波路および前記回折格子結合器の片側に配設され、
前記第２の光伝送要素は、縦軸に沿って延びる光ファイバを含み、該光ファイバは、コアおよびクラッドを含むと共に角度のついた先端部を有するマルチモード光ファイバであり、前記光ファイバの前記縦軸は前記平面光導波路の前記長手方向の経路に略平行であり、
前記平面光導波路と、前記回折格子結合器と、前記光ファイバの前記コアとの間で光が伝送され、
前記回折格子結合器は、前記マルチモード光ファイバによって支持される高次モードのみを優先的に励起するように構成されていることを特徴とする方法。
【発明の詳細な説明】
【関連出願への相互参照】
【０００１】
本願は、２００９年１１月２４日に出願された「Planar Waveguide And Optical Fiber Coupling」という名称の米国特許出願第１２／６２４８４７号による優先権を主張する。本願は該文献の内容に依存し、その全体を参照して本明細書に組み込む。
【技術分野】
【０００２】
本開示は、一般的に、平面光導波路と光ファイバとの間の光学的結合に関し、特に、透明基板上の平面光導波路と、角度をつけて劈開された光ファイバとの間の、回折格子結合器を用いた光学的結合であって、光ファイバの軸が基板平面に概ね平行な光学的結合に関する。
【背景技術】
【０００３】
短距離（＜１ｋｍ）用途の低コストの光リンクでは、しばしば、光源および検出器に対する位置合わせの許容誤差が緩和されることを理由として、マルチモード光ファイバが用いられる。マルチモードファイバのコアの大きなサイズにより、一般的に用いられるファブリーペローまたはＶＣＳＥＬレーザ源及び広面積検出器に関する光学的相互接続の横方向、角度方向および軸方向の位置ずれに対する寛容度が高くなる。この手法は、単一の光学波長を用いてリンクシグナリングが行われる低速〜中速のデータ速度の用途によく適している。
【０００４】
より高いリンク帯域幅性能が必要な場合には、ＷＤＭ（波長分割多重）を用いて、複数の信号を単一の光ファイバ上に多重化するのが望ましい。この手法は、マルチモードファイバに固有の長さ−帯域幅の制限を回避するための短いリンクの用途、およびシングルモードファイバを用いるより長いリンクの用途の両方に適している。これらの場合には、一般的に、リンクのソース端および受信器端において、波長多重化（ＭＵＸ）処理および波長多重分離（ＤＥＭＵＸ）処理がそれぞれ必要である。
【０００５】
平面光波回路（ＰＬＣ）は、光学的ＭＵＸおよびＤＥＭＵＸ処理を行うのによく適している。屈折率のコントラストが高い導波路は、タイトな導波路の曲がりを低い光損失で実装可能にする。これにより、小さいチップ上にコンパクトなＭＵＸ装置およびＤＥＭＵＸ装置を作ることができ、チップコストが低減されると共に、パッケージ全体のサイズが低減される。例えば、ＭＵＸおよびＤＥＭＵＸ処理は、特定の波長で動作するよう容易に調整可能なＩＩＲ（Infinite Impulse Response）リング共振器フィルタ装置を用いて実行され得る。他のリンクおよびネットワーク用途へとプラットフォームを拡張するために、ＰＬＣを用いて、スイッチ、変調器およびパワースプリッタ等の他の装置も実装され得る。
【０００６】
チップのエッジにおいて、マルチモードファイバを高屈折率コントラストＰＬＣ導波路にバットカップリングするのが比較的簡単であるが、この相互接続は、チップのエッジにおいて結合が生じることが必要なので、ＰＬＣのレイアウトに制約を生じると共にチップを気密シールする際の制限を生じ、必ずしも現実的ではなく、または望ましくない。この用途で一般的に用いられるレンズ付きマルチモードファイバおよび単一モードファイバは、ＰＬＣ導波路への低損失結合のために精密な位置合わせを必要とする。
【０００７】
ＰＬＣ導波路へのファイバ結合のための１つの手法は、回折格子結合器素子を含む。回折格子結合器は、一般的に、光ファイバから結合器に入射する光を捕捉してＰＬＣ導波路に沿って導波するための広いテーパ形状に実装される。光ファイバは、一般的に、ＰＬＣ基板に対して垂直に配置される。同じ素子を逆に動作させて、ＰＬＣ導波路から光ファイバへと光を送り出すこともできる。
【発明の概要】
【課題を解決するための手段】
【０００８】
一実施形態は、光伝送要素間で光を光学的に結合する装置を含む。この装置は、第１の光伝送要素および第２の光伝送要素を含む。第１の光伝送要素は、長手方向の経路に沿って延びる平面光導波路と、回折格子結合器と、透明基板とを含む。透明基板は、平面光導波路および回折格子結合器の片側に配設される。第２の光伝送要素は、光ファイバを含む。光ファイバは縦軸に沿って延び、コアおよびクラッドを含み、角度のついた先端部を有する。光ファイバの縦軸は、平面光導波路の長手方向の経路に略平行である。
【０００９】
別の実施形態は、光伝送要素間で光を光学的に結合する方法を含む。この方法は、第１の光伝送要素と第２の光伝送要素との間で光を伝送することを含む。第１の光伝送要素は、長手方向の経路に沿って延びる平面光導波路と、回折格子結合器と、透明基板とを含む。透明基板は、平面光導波路および回折格子結合器の片側に配設される。第２の光伝送要素は、光ファイバを含む。光ファイバは縦軸に沿って延び、コアおよびクラッドを含み、角度のついた先端部を有する。光ファイバの縦軸は、平面光導波路の長手方向の経路に略平行である。光は、平面光導波路と、回折格子結合器と、光ファイバのコアとの間で伝送される。
【００１０】
更なる特徴および長所は、以下の詳細な説明で述べられ、その一部はその説明から当業者に自明であり、または以下の詳細な説明、特許請求の範囲および添付の図面を含む本明細書に記載される実施形態を実施することによって認識される。
【００１１】
上記の概要説明および以下の詳細説明は共に例示的な実施形態を示すものであり、特許請求の範囲の性質および特徴の理解のための概観または枠組みを提供することを意図したものであることを理解されたい。添付の図面は更なる理解を提供するために含まれ、本明細書に組み込まれてその一部をなすものである。図面は様々な実施形態を示し、記載と共に、様々な実施形態の原理および動作を説明する役割をするものである。
【図面の簡単な説明】
【００１２】
【図１】本明細書に開示される、光ファイバに光学的に結合された平面光導波路の一実施形態の側面を切り取った図
【図２】それぞれ異なる幅を有する光ビーム源についての空気中およびガラス中の光ビーム回折のグラフ
【図３】本明細書に記載される、光ファイバに光学的に結合された平面光導波路の別の実施形態の側面を切り取った図
【図４】本明細書に記載される、光ファイバに光学的に結合された平面光導波路の別の実施形態の側面を切り取った図
【図５】本明細書に記載される、光ファイバに光学的に結合された平面光導波路の別の実施形態の側面を切り取った図
【図６】本明細書に記載される、光ファイバに光学的に結合された平面光導波路の別の実施形態の側面を切り取った図
【図７】本明細書に記載される、光ファイバに光学的に結合された平面光導波路の別の実施形態の側面を切り取った図
【図８】本明細書に記載される、光ファイバに光学的に結合された平面光導波路の別の実施形態の側面を切り取った図
【図９】本明細書に記載される、光ファイバに光学的に結合された平面光導波路の別の実施形態の側面を切り取った図
【図１０】本明細書に記載される、光ファイバに光学的に結合された平面光導波路の別の実施形態の側面を切り取った図
【図１１】ガラス基板上にパターニングされたシリコン平面光導波路および回折格子結合器の斜視図
【図１２Ａ】図１１に示されている回折格子結合器の有限差分時間領域（ＦＤＴＤ）シミュレーションを示す図
【図１２Ｂ】図１１に示されている回折格子結合器の有限差分時間領域（ＦＤＴＤ）シミュレーションを示す図
【図１２Ｃ】図１１に示されている回折格子結合器の有限差分時間領域（ＦＤＴＤ）シミュレーションを示す図
【図１３】図１１に示されている回折格子結合器の電界の平面図
【図１４】図１１に示されている回折格子結合器のシミュレーションされた出力パワーのグラフ
【発明を実施するための形態】
【００１３】
次に、本好ましい実施形態を詳細に参照する。その例が添付の図面に示されている。
【００１４】
図１は、光ファイバ１２０に光学的に結合された平面光導波路１０２の一実施形態の側面を切り取った図を示す。光ファイバ１２０は、シングルモードファイバまたはマルチモードファイバであり得る。平面光導波路１０２は、長手方向の経路に沿って、透明基板１０４の底面に沿って延びる。光は、矢印１０８によって示されるように、平面光導波路１０２に沿って伝搬されて、回折格子結合器１０６に到達する。次に、矢印１１２によって示されるように、回折格子結合器１０６は光の方向を変え、光は垂直方向に透明基板１０４を通り、光ファイバ１２０のクラッド１２２を通り、光ファイバ１２０のコア１２４に入る。図１に示されている実施形態では、平面光導波路１０２、回折格子結合器１０６および透明基板１０４が組み合わさって第１の光伝送要素１１０を構成する。図１に示されている実施形態では、光ファイバ１２０は第２の光伝送要素として作用する。光ファイバ１２０は縦軸に沿って延び、コア１２４と、クラッド１２２と、角度のついた先端部１２６を有する端部とを含む。角度のついた先端部１２６を有する端部は、角度のついた面１２８を含む。１１４によって示されるように、光１１２は角度のついた面１２８によって反射され、矢印１１６によって示されるように、光ファイバ１２０のコア１２４に沿うよう方向を変えられる。図１からわかるように、光ファイバ１２０の縦軸は、平面光導波路１０２の長手方向の経路に略平行である。
【００１５】
光ファイバ１２０は、マルチモード光ファイバであるのが好ましい。光ファイバ１２０のコアの直径は少なくとも４０μｍであるのが好ましく（例えば少なくとも５０μｍ）、５０〜６２．５μｍのコア直径を有する光ファイバを含む。
【００１６】
角度のついた面１２８を含む角度のついた先端部１２６は、例えば、当業者に周知のレーザ劈開法によって、精密な機械的ファイバ劈開法によって、または機械的研磨法によって作られ得る。
【００１７】
本明細書で用いる「透明」という用語は、固体材料を透過する動作波長の放射の少なくとも７０％が、材料によって吸収または散乱されるのではなく、材料を通って伝送されることを意味する。特に好ましい透明材料は、材料を透過する動作波長の放射の少なくとも９０％が、材料によって吸収または散乱されるのではなく、材料を通って伝送されるものを含む。
【００１８】
本発明を限定するものではないが、透明基板の好ましい材料は、例えば、実質的に純粋なＳｉＯ２ガラスまたはホウケイ酸塩ガラス（例えばコーニング（登録商標コード１７３７ガラス）等のガラスである。透明基板の他の好ましい材料としては、可視波長から近赤外波長までの範囲内（例えば、約４００ｎｍ〜約１７００ｎｍの波長）において（上記の定義のように）透明なガラスセラミックおよび他のセラミックが挙げられる。
【００１９】
本発明を限定するものではないが、平面光導波路の好ましい材料はシリコン（Ｓｉ）である。他の好ましい材料としては、ゲルマニウム（Ｇｅ）、シリコン−ゲルマニウム（ＳｉＧｅ）および炭化シリコン（ＳｉＣ）が挙げられる。
【００２０】
本明細書で用いる「反射（性）」という用語は、固体材料表面に当たる動作波長の光パワーの少なくとも２５％が表面によって反射されることを意味する。
【００２１】
本明細書で用いる「部分反射（性）」という用語は、固体材料表面に当たる動作波長の放射の少なくとも１％が表面によって反射されることを意味する。
【００２２】
平面光導波路１０２は、当業者に周知の技術を用いて透明基板１０４上にパターニングまたは形成され得る。例えば、平面光導波路１０２は、当業者に周知のフォトリソグラフィ法を用いて、透明基板１０４上にパターニングされ得る。そのようなフォトリソグラフィ法は、回折格子結合器１０６の形成にも用いられ得る。図１の側面を切り取った図は、１つの平面光導波路１０２および１つの回折格子結合器１０６を示しているが、単一の透明基板１０４上に複数の平面光導波路および回折格子結合器がパターニングまたは形成され得ることを理解されたい。そして、図１に示されているのと同様の方法で、各平面光導波路に１つの光ファイバを光学的に結合できる。このようにして、一列の光ファイバを一列の平面光導波路に光学的に結合できる。
【００２３】
図１に示されるように、透明基板１０４は、平面光導波路１０２と光ファイバ１２０との間に配設され、光が回折格子結合器１０６から透明基板１０４を通って光ファイバ１２０のコア１２４に至るよう向けられる。換言すれば、平面光導波路１０２は透明基板１０４の片側であって光ファイバ１２０とは反対側に配設される。この構成により、例えば光ファイバ１２０との位置合わせ中に、透明基板１０４が回折格子結合器１０６を損傷から保護できる。更に、透明基板は、光ファイバ１２０の角度のついた先端部１２６の機械的支持を提供でき、これにより、回折格子結合器１０６に対する光ファイバ１２０のより正確で安定した配置も可能になる。更に、光学的相互接続の設計に応じて、光ファイバ１２０に近接した透明基板１０４の表面は、平面光導波路１０２または回折格子結合器１０６に損傷を生じずに、クリーニングされるかまたは別様で処理される。また、透明基板１０４は、透明基板の平面光導波路１０２と同じ側にある任意の能動素子（例えば平面光導波路１０２に相互接続される素子等）を保護する気密バリアの役割をし得る。
【００２４】
図１には示されていないが、透明基板１０４は、光ファイバ１２０の縦軸と位置合わせされる溝等の位置合わせ要素を有するようパターニングされ得る。溝は、位置合わせ要素として作用する他に、光学的機能を提供し得る。即ち、光が透明基板１０４の（溝が無ければ）平坦な面から光ファイバ１２０のクラッド１２２の湾曲したまたは円筒状の面を通る際の光の屈折によって生じる非点収差を最小化する。光ファイバ１２０のクラッド１２２の外面の外側の曲率と一致する曲面を有する溝が作られる場合には、（溝が無い場合に）平坦な面と曲面との間の屈折によって生じる非点収差を大きく軽減できる。例えば、そのような曲面を有する溝は、フッ化水素中でのエッチングによって透明基板１０４に設けることができる。更に、溝の断面が光ファイバ１２０のクラッド１２２の外半径の曲率と完全には一致せず、透明基板１０４と光ファイバ１２０の外半径との間に空隙が残る場合には、屈折率が一致するゲル等の材料で溝を埋めることにより、上述の屈折の影響を最小化できる。
【００２５】
更に、透明基板１０４の表面、好ましくは光ファイバに近接した表面を、当業者に周知の技術に従って、光学ビームを集束、コリメート、または別様で整形する等の１以上の光学的機能を実行するよう加工または構成することが可能である。例えば、平面光導波路１０２と光ファイバ１２０との間の結合効率を向上させるために、透明基板１０４の表面にレンズまたは回折格子が形成され得る。更に、透明基板１０４の表面に反射防止コーティングを塗布することにより、ガラス‐空気界面におけるフレネル反射に起因する光パワーの損失を低減してもよい。
【００２６】
回折格子結合器１０６の設計は、以下に記載する実施形態で示されるどの特定の設計にも限定されず、矢印１０８によって示される平面光導波路１０２を通る伝搬方向に対して９０°以外の角度で光の方向を変える回折格子結合器を含み得る。例えば図５および図６に示されるように、９０°以外の角度で光の方向を変える回折格子結合器は、角度のついた面１２８による全内部反射によって光の方向が変えられるのを可能にするよう構成され得る。例えば、格子は、二次格子（二次格子は、その平面において反射または光を伝送することに加えて、主に、平面光導波路１０２を通る伝搬方向に対して約９０°の角度で光を垂直方向に反射する）に限定される必要はなく、三次格子、四次格子、五次格子等のより高次の格子を含み得る。そのようなより高次の格子は、二次格子と比較してピッチサイズ即ち周期が大きく、その結果、平面光導波路１０２を通る光の伝搬に対して約９０°以外の角度で光を反射できる。例えば、三次格子は、平面光導波路１０２を通る光の伝搬に対して上に向かってまたは下に向かって約６０°および１２０°の角度で光の方向を変えることができる。格子は、偏光の影響を受けるものを含んでもよく、従って、回折格子結合器１０６は、平面光導波路１０２と光ファイバ１２０との間で伝送される光を偏光するために用いられてもよい。
【００２７】
図１に示されている実施形態では、第１の光伝送要素１１０は、平面光導波路１０２の光ファイバ１２０とは反対側には、基板（または固体の材料）を持たない。図１に示されている実施形態では、回折格子結合器１０６は透明基板１０４中には延びていない。
【００２８】
好ましい実施形態では、透明基板１０４は、上述の機械的支持、ファイバの配置、および保護を提供するのに十分な厚さを有する。透明基板１０４は、少なくとも１００μｍの厚さ（例えば、１００μｍ〜５０００μｍの厚さ）を有するのが好ましい。透明基板１０４は、少なくとも２００μｍの厚さ（例えば、２００μｍ〜２０００μｍの厚さ、更には５００μｍ〜１０００μｍの厚さ等）を有するのがより好ましい。
【００２９】
この点に関して、透明基板１０４としてガラスを用いることは、空気中の伝搬と比較して、伝搬中のビーム回折を低減する一助となり、それにより、回折格子結合器１０６と光ファイバ１２０との間の距離をより大きくすることが可能になり、ひいては、より良好な機械的特性を有するより厚い透明基板１０４の使用が可能になる。図２は、回折格子結合器から派生した、それぞれ異なる幅を有しそれぞれの波長λが１．５５μｍである光学ビームが、空気（屈折率ｎ＝１．０）を通って伝搬する際にどのように回折するかを、ガラス基板材料（屈折率ｎ＝１．４５）と比較して示している。具体的には、図２は、空気を通って伝搬される８μｍのウエスト部を有するビーム（１０）と、ガラスを通って伝搬される８μｍのウエスト部を有するビーム（１２）と、空気を通って伝搬される２５μｍのウエスト部を有するビーム（１４）と、ガラスを通って伝搬される２５μｍのウエスト部を有するビーム（１６）と、空気を通って伝搬される５０μｍのウエスト部を有するビーム（１８）と、ガラスを通って伝搬される５０μｍのウエスト部を有するビーム（２０）とを示している。図２からわかるように、ガラス中のビームの伝搬は、空気中のビームの伝搬と比較して、所与の回折量に対する、回折格子結合器と光ファイバの外面との間の離間をより大きくする余裕がある。これにより、機械的強度が向上したより厚い透明基板の処理および使用が可能になる。
【００３０】
本明細書に開示される実施形態（例えば図１に示されている実施形態）は、平面光導波路と光ファイバとの間の比較的低い結合損失を依然として達成しつつ、上述の機械的支持、ファイバ配置、および保護を有する、平面光導波路と光ファイバとの間の光学的結合に備えることができる。例えば、本明細書に開示される実施形態は、第１の光伝送要素１１０（平面光導波路１０２を含む）と第２の光伝送要素（光ファイバ１２０を含む）との間の光学的結合であって、第１の光伝送要素と第２の光伝送要素との間の光学放射の結合損失は７５％未満（例えば８０％未満、更には例えば８５％未満、更には例えば９０％未満）である光学的結合を提供できる。
【００３１】
図３は、第１の光伝送要素１１０がバッファ層１３０および反射面を有する層１４０を更に含むこと以外は、図１に示されている実施形態と類似の実施形態の側面を切り取った図を示す。図３からわかるように、反射面を有する層１４０は、平面光導波路１０２の光ファイバ１２０とは反対側にある。反射面はバッファ層１３０に面しており、回折格子結合器１０６によってまず反射面に向けられた光の方向を変えて、矢印１１８によって示されるように透明基板１０４および光ファイバ１２０に向かわせる反射器として作用する。反射面を有する層１４０の好ましい材料としては、ＳｉＯ２、ＴｉＯ２、Ａｌ２Ｏ３、Ｔａ２Ｏ５、ＭｇＦ２、ＬａＦ３およびＡｌＦ３等の誘電体スタックを作るのに用いられる材料が挙げられる。これら以外の材料も、動作波長によっては適している場合がある。反射面を有する層１４０は、金、銀、アルミニウム等の金属材料または所望の動作波長において高いパワー反射係数を有する他の任意の表面も含み得る。
【００３２】
バッファ層１３０の好ましい材料は、動作波長において比較的透明な任意のガラス材料、ガラス‐セラミック材料、結晶質材料またはポリマー材料を含み得る。バッファ層１３０の好ましい材料の例としては、シリカ、ドープされたシリカガラス、カルコゲナイトガラス、フッ化カルシウムガラス、フッ化マグネシウムガラス、および他の特殊な透明ガラスが挙げられる。バッファ層１３０の好ましい材料は、窒化シリコン、酸窒化シリコン、およびＳｕ−８、ポリ（メチルメタクリレート）（ＰＭＭＡ）、またはポリイミド等のポリマーも含み得る。
【００３３】
図４は、回折格子結合器１０６が、非ガウスビーム形状で光の方向を変えて光ファイバ１２０に向けるようパターニングされること以外は、図１に示されている実施形態と類似の別の実施形態の側面を切り取った図である。図４に示されている実施形態では、光ファイバ１２０はマルチモードファイバであるのが好ましく、回折格子結合器１０６は、第１の光伝送要素１１０と第２の光伝送要素として作用する光ファイバ１２０との間で少なくとも１つのモードをフィルタアウトするよう構成される。特に好ましい実施形態では、回折格子結合器１０６は、マルチモードファイバによって支持されるモードのサブセットを優先的に励起するようパターニングされる。このモードのサブセットは、より小さい差動モード遅延を有し、その結果、リンク帯域幅性能が向上する。そのような回折格子結合器の一例は、環状のビームパターンで光の方向を変えるものである。
【００３４】
図５は、回折格子結合器１０６が光の方向を変えて、矢印１１２によって示されるように、角度のついた面１２８を介して光ファイバ１２０を結合させる、別の実施形態の側面を切り取った図である。図５に示されている実施形態では、角度のついた先端部１２６の角度のついた面１２８に対する法線と光ファイバ１２０の縦軸との間の角度Ａは、４５°より大きい（例えば少なくとも５０°、更には例えば少なくとも６０°、更には例えば少なくとも７０°であり、５０°〜７５°を含む）。そのようなより大きい鋭角により、光ビームが（矢印１１２によって示されるように）角度のついた面１２８に入るよう屈折されて、（矢印１１６によって示されるように）ファイバに入るようガイドされることが可能になる。平面光導波路１０２の長手方向の経路（矢印１０８によって示されるように、それに沿って光が移動し得る）と（矢印１１２によって示されるように）第１の光伝送要素１１０と光ファイバ１２０として作用する第２の光伝送要素との間で伝送される光との間の角度は、少なくとも１２０°であるのが好ましい（例えば少なくとも１３０°、更には例えば少なくとも１４０°であり、１２０°〜１５０°を含む）。
【００３５】
更に、４５°より大きい鋭角Ａにより、より耐久性が高いファイバ端面が可能になり、これは、４５°以下の端面角度を有する類似のファイバよりも、コネクタアセンブリへの挿入の際の破損に対する耐性が高いはずである。角度のついた面１２８を含む角度のついた先端部１２６は、例えば、当業者に周知のレーザ劈開法によってまたは精密な機械的ファイバ劈開法によって作られ得る。
【００３６】
図５に対応する好ましい実施形態では、角度のついた面１２８には、角度のついた面１２８における後方反射および散乱損失を最小化するために反射を軽減するよう設計された誘電体スタックまたはコーティング層等の反射防止材料がコーティングされ得る。或いは、反射損失は、回折格子結合器１０６および角度Ａを、（矢印１１２によって示されるように）角度のついた面１２８に当たるビームがブルースター角度またはそれに近い角度となるよう構成することによって、最小化され得る。特に、ブルースター角度で入射すると、反射損失が最小化され、（矢印１１２によって示されるように）角度のついた面１２８に当たるビームは、図５の平面内の電界によって偏光されるはずであり、これは、光が第１の光伝送要素１１０における横磁界（ＴＭ）偏光に似ているモードに対応する。
【００３７】
図５に示されている実施形態では、必要な格子周期がより低い回折格子結合器設計が可能である。そのような結合構成は、光ファイバ１２０と透明基板１０４との間の軸方向の位置ずれに対する許容誤差を大きくすることもできる。例えば、結合構成の許容誤差の範囲内において、角度のついた先端部１２６を、光ファイバ１２０の移動を制限するファイバストップ（図示せず）に対して押し上げてもよい。
【００３８】
図６は、光が、回折格子結合器１０６から（矢印１１２Ａによって示されるように）第１の角度で透明基板１０４を通るよう向けられ、次に、透明基板１０４の光ファイバ１２０に近接した表面から（矢印１１２Ｂによって示されるように）第２の角度で角度のついた面１２８を通るよう向けられる、別の実施形態の側面を切り取った図である。図５に示されている実施形態と同様に、角度のついた先端部１２６の角度のついた面１２８に対する法線と光ファイバ１２０の縦軸との間の角度Ａは、４５°より大きい（例えば少なくとも５０°、更には例えば少なくとも６０°、更には例えば少なくとも７０°であり、５０°〜７５°を含む）。平面光導波路１０２の長手方向の経路（矢印１０８によって示されるように、それに沿って光が移動し得る）と（矢印１１２Ａによって示されるように）透明基板を通るよう向けられた光との間の角度は、少なくとも１００°であるのが好ましい（例えば少なくとも１１０°であり、１００°〜１２０°を含む）。平面光導波路１０２の長手方向の経路と（矢印１１２Ｂによって示されるように）第１の光伝送要素１１０と光ファイバ１２０として作用する第２の光伝送要素との間で伝送される光との間の角度は、少なくとも１２０°であるのが好ましい（例えば少なくとも１３０°、更には例えば少なくとも１４０°であり、１２０°〜１５０°を含む）。
【００３９】
図３に示されている実施形態と同様に、第１の光伝送要素１１０は、バッファ層１３０および反射面を有する層１４０を更に含む。図６からわかるように、反射面を有する層１４０は、平面光導波路１０２の光ファイバ１２０とは反対側にある。反射面はバッファ層１３０に面しており、回折格子結合器１０６によってまず反射面に向けられた光の方向を変えて、矢印１１８’によって示されるように透明基板１０４および光ファイバ１２０に向かわせる反射器として作用する。反射面を有する層１４０の好ましい材料としては、ＳｉＯ２、ＴｉＯ２、Ａｌ２Ｏ３、Ｔａ２Ｏ５、ＭｇＦ２、ＬａＦ３およびＡｌＦ３等の誘電体スタックを作るのに用いられる材料が挙げられる。これら以外の材料も、動作波長によっては適している場合がある。反射面を有する層１４０は、金、銀、アルミニウム等の金属材料または所望の動作波長において高いパワー反射係数を有する他の任意の表面も含み得る。
【００４０】
バッファ層１３０の好ましい材料は、動作波長において比較的透明な任意のガラス材料、ガラス‐セラミック材料、結晶質材料またはポリマー材料を含み得る。バッファ層１３０の好ましい材料の例としては、シリカ、ドープされたシリカガラス、カルコゲナイトガラス、フッ化カルシウムガラス、フッ化マグネシウムガラス、および他の特殊な透明ガラスが挙げられる。バッファ層１３０の好ましい材料は、窒化シリコン、酸窒化シリコン、およびＳｕ−８、ポリ（メチルメタクリレート）（ＰＭＭＡ）、またはポリイミド等のポリマーも含み得る。
【００４１】
図７は、回折格子結合器１０６が、非ガウスビーム形状で光の方向を変えて光ファイバ１２０に向けるようパターニングされること以外は、図５に示されている実施形態と類似の別の実施形態の側面を切り取った図である。図７に示されている実施形態では、光ファイバ１２０はマルチモードファイバであるのが好ましく、回折格子結合器１０６は、マルチモードファイバによって支持されるモードのサブセットのみを優先的に励起するようパターニングされる。特に好ましい実施形態では、リンク帯域幅性能を向上させるために、回折格子結合器１０６は、より高次のモードのみの方向を優先的に変えるようパターニングされる。そのような回折格子結合器の一例は、環状のビームパターンで光の方向を変えるものである。或いは、回折格子結合器１０６は、光の方向を逆方向に変える（即ち、光ファイバ１２０からの光を平面光導波路１０２に結合する）よう構成され得る。回折格子結合器１０６が光ファイバ１２０からの光を平面光導波路１０２に結合するよう構成された好ましい実施形態では、回折格子結合器１０６は、光ファイバによって支持されるモードのサブセットのみを優先的に導波路に結合するようパターニングされる。
【００４２】
図８は、（矢印１１９によって示されるように）角度のついた先端部１２６の角度のついた面１２８から反射された光を検出する検出器１５０が設けられること以外は、図５に示されている実施形態と類似の別の実施形態の側面を切り取った図である。検出器は、動作波長に基づいて選択されたフォトダイオードを含むのが好ましい。フォトダイオードの好ましい例としては、シリコン、ゲルマニウム、ガリウムヒ素またはインジウムガリウムヒ素から選択されるものが挙げられる。図８に示されている実施形態は、光ファイバ１２０内へと送り出されるパワーを積極的にモニタリングするために用いられ得るものであり、光ファイバの目に対する安全性のためのパワー制限およびレーザ源の寿命の劣化の影響により、ファイバ内へと送り出される光パワーのモニタリングが必要な構成では望ましいものであり得る。
【００４３】
図９は、光ファイバ１２０の角度のついた面１２８に反射材料１６０が設けられた別の実施形態の側面を切り取った図である。光は、回折格子結合器１０６から、透明基板１０４を通るよう向けられ、角度のついた面１２８で反射され、矢印１１６によって示されるように、光ファイバ１２０のコア１２４に沿うよう方向を変えられる。図５に示されている実施形態と同様に、角度のついた先端部１２６の角度のついた面１２８に対する法線と光ファイバ１２０の縦軸との間の角度Ａは、４５°より大きい（例えば少なくとも５０°、更には例えば少なくとも６０°、更には例えば少なくとも７０°であり、５０°〜７５°を含む）。平面光導波路１０２の長手方向の経路（矢印１０８によって示されるように、それに沿って光が移動し得る）と（矢印１１２によって示されるように）第１の光伝送要素１１０と光ファイバ１２０として作用する第２の光伝送要素との間で伝送される光との間の角度は、少なくとも１２０°であるのが好ましい（例えば少なくとも１３０°、更には例えば少なくとも１４０°であり、１２０°〜１５０°を含む）。
【００４４】
反射材料１６０の好ましい材料としては、ＳｉＯ２、ＴｉＯ２、Ａｌ２Ｏ３、Ｔａ２Ｏ５、ＭｇＦ２、ＬａＦ３およびＡｌＦ３が挙げられる。これら以外の材料も、動作波長によっては適している場合がある。反射材料１６０の好ましい材料は、金、銀、アルミニウム等の金属材料または所望の動作波長において高いパワー反射係数を有する他の任意の表面も含み得る。
【００４５】
図１０は、光ファイバ１２０の角度のついた面１２８に部分反射材料１６０’が設けられ、（矢印１１９’によって示されるように）角度のついた先端部１２６の角度のついた面１２８で屈折した光を検出する検出器１５０が設けられること以外は、図９に示されている実施形態と類似の別の実施形態の側面を切り取った図である。図９に示されている実施形態と同様に、角度のついた先端部１２６の角度のついた面１２８に対する法線と光ファイバ１２０の縦軸との間の角度Ａは、４５°より大きい（例えば少なくとも５０°、更には例えば少なくとも６０°、更には例えば少なくとも７０°であり、５０°〜７５°を含む）。平面光導波路１０２の長手方向の経路（矢印１０８によって示されるように、それに沿って光が移動し得る）と（矢印１１２によって示されるように）第１の光伝送要素１１０と光ファイバ１２０として作用する第２の光伝送要素との間で伝送される光との間の角度は、少なくとも１２０°であるのが好ましい（例えば少なくとも１３０°、更には例えば少なくとも１４０°であり、１２０°〜１５０°を含む）。
【００４６】
部分反射材料１６０’の好ましい材料としては、反射材料１６０について上述した材料を含む材料が挙げられ、これらの材料は、例えば、より薄いコーティングとして塗布される。任意に、角度のついた面１２８はどのような材料でもコーティングされずに、依然として部分反射面を提供し得る。
【００４７】
図１および図３〜図１０は、平面光導波路１０２から回折格子結合器１０６を介して光ファイバ１２０のコア１２４に伝搬する光を示しているが、本明細書に開示される実施形態は、光が反対方向に伝搬される（即ち、光ファイバ１２０のコア１２４から回折格子結合器１０６を介して平面光導波路１０２に伝搬される）ものも含む。
【実施例】
【００４８】
本明細書に開示される実施形態を、本発明を限定するものではない以下の実施例によって更に明確にする。
【００４９】
実施例１
図１１に示されるように、１９３ｎｍまたは２４５ｎｍの波長で動作するフォトリソグラフィツールを用いた深紫外（ＵＶ）リソグラフィを用いて、ガラス（ＳｉＯ２）基板上にシリコン平面光導波路および回折格子結合器をパターニングした。図１１の丸で囲まれた領域Ａは、図の右上に拡大表示されており、丸で囲まれた領域Ｂは、図の右下に拡大表示されている（図１１に示されているパターンは、電子線に感度のあるフォトレジストを用いた電子線描画システムまたは収束イオンビームシステムによって設けられてもよい）。図１１に示されている回折格子結合器のアクセス部（即ち、広くなるテーパを有して示されている導波路の部分）は、９μｍの長さにわたって４００ｎｍの幅から３μｍの幅に広がっている。各回折格子結合器のピッチは約１μｍであり、各シリコン平面光導波路の実効屈折率は約１．５５１である。ガラス基板の厚さは約６２５μｍであり、シリコン層の厚さは約２００ｎｍであった。
【００５０】
図１１に示されているガラス上シリコン回折格子結合器を用いて、三次元有限差分時間領域（ＦＤＴＤ）シミュレーションを行った。シミュレーションは、図１２Ａ〜図１２Ｃにそれぞれ示されるように、３つの異なる波長、λ＝１．４０μｍ、λ＝１．５０μｍおよびλ＝１．６０μｍについて行われた。図１２Ａ〜図１２Ｃの各々には、回折格子結合器の電界（Ｅｘ）の側面図が示されており、図示されている光は図の左側から入り、回折格子結合器によって垂直方向に回折される（即ち、Ｚ軸はガラス上シリコン導波路に沿った伝搬方向に対応し、Ｙ軸は面外方向に対応する）。図１２Ａ〜図１２Ｃの各々に示されるように、回折格子結合器によって生じる横電界（ＴＥ）モードの全長は約１２μｍであった。更に、図１２Ａ〜図１２Ｃに示されるように、回折格子結合器によるガラス上シリコン導波路光の垂直方向の回折は、波長に強く依存しない。
【００５１】
図１３は、図１１に示されている波長λ＝１．５０μｍで動作する回折格子結合器の電界（Ｅｘ）の平面図を示す（即ち、ガラス基板上のシリコン回折格子結合器の表面の面が、グラフのＸ−Ｚ平面内にある）。図１３に示されるように、電界Ｅｘの広くなるテーパは、回折格子結合器の広くなるテーパと概ね一致する。
【００５２】
図１４は、図１１に示されている回折格子結合器のシミュレーションされた出力パワーのグラフである。図１４に示されるように、二次格子によって反射されるパワー（２４）と比較して、かなりの量のパワーが垂直方向に（即ち、上に向かっておよび下に向かって）（２２）回折されることが予想される。更に、性能はかなりの広帯域になることが予想される。
【００５３】
本発明の精神および範囲から逸脱することなく、様々な変更および変形がなされ得ることは、当業者に自明である。
【符号の説明】
【００５４】
１０２  平面光導波路
１０４  透明基板
１０６  回折格子結合器
１１０  第１の光伝送要素
１１２  光
１２０  光ファイバ（第２の光伝送要素）
１２２  クラッド
１２４  コア
１２６  角度のついた先端部
１２８  角度のついた面
１３０  バッファ層
１４０  反射面を有する層
１５０  検出器
１６０  反射材料
１６０’  部分反射材料
【図１】
0005923042.tif 000002
【図２】
0005923042.tif 000003
【図３】
0005923042.tif 000004
【図４】
0005923042.tif 000005
【図５】
0005923042.tif 000006
【図６】
0005923042.tif 000007
【図７】
0005923042.tif 000008
【図８】
0005923042.tif 000009
【図９】
0005923042.tif 000010
【図１０】
0005923042.tif 000011
【図１１】
0005923042.tif 000012
【図１４】
0005923042.tif 000013
【図１２Ａ】
0005923042.tif 000014
【図１２Ｂ】
0005923042.tif 000015
【図１２Ｃ】
0005923042.tif 000016
【図１３】
0005923042.tif 000017